(57)【要約】【課題】  移動先において、データ容量や電波状況などの条件に依存せずにデータを転送し自分の視聴したい情報をスムーズに視聴する。【解決手段】  電車を予約する処理５１が行われると、電車サーバ２０ａに座席予約情報５５が送られる。このような情報を加味して、家１０内のホームサーバ１２に予約表が作成されていく。予定表に基づいて、或いは、電車予約５１に基づいて、ホームサーバ１２から列車サーバ２０ａに対して、利用者が列車に乗る時刻６１よりも前に予めコンテンツが転送される。利用者は列車２０内において列車サーバ２０ａに転送済みのコンテンツ又などのデータを利用して、コンテンツの視聴やデータの編集作業６３を行うことができる。列車を下車すると（６５）、列車サー２０ａからホームサーバ１２に対して、編集作業により変更された差分データが転送される（６７）。【選択図】  図４
2005148923.tif 000002
【特許請求の範囲】
【請求項１】
制御部と、転送対象情報を記憶する第１記憶部と、前記転送対象情報を送受信する第１通信部とを有するホームサーバと、
前記転送対象情報を記憶する第２記憶部と、前記転送対象情報を送受信する第２通信部とを有し、利用者の移動又は移動先に設けられた移動先サーバと、
該移動先サーバと関連付けされ、該移動先サーバから転送済みの前記転送対象情報を取得する端末と、を有し、
前記制御部は、利用者の移動に関する移動情報に応じて、所望の前記転送対象情報を利用者の移動に先立って前記ホームサーバから前記移動先サーバに転送する制御を行うことを特徴とするデータ転送システム。
【請求項２】
さらに、前記端末又は移動先サーバは、転送済みの前記転送対象情報を変更した際に、元の転送対象情報と変更後の情報との差分を前記ホームサーバに転送する差分転送部を有していることを特徴とする請求項１に記載のデータ転送システム。
【請求項３】
さらに、前記ホームサーバは、前記差分に基づいて、変更後の情報を作成する編集部を有することを特徴とする請求項２に記載のデータ転送システム。
【請求項４】
制御部と、転送対象情報を記憶する第１記憶部と、前記転送対象情報を送受信する第１通信部と、を有するホームサーバであって、
利用者の移動に関する移動情報に応じて、所望の前記転送対象情報を利用者の移動に先立って前記ホームサーバから移動先に転送する制御を行う制御部を有することを特徴とするホームサーバ。
【請求項５】
さらに、移動先において編集された際に得られた前記転送対象情報の差分に基づいて、編集後の情報を作成する編集部を有することを特徴とする請求項４に記載のホームサーバ。
【請求項６】
利用者の移動に関する移動情報をホームサーバに入力するステップと、
利用者の移動に関する移動情報に応じて、所望の転送対象情報を利用者の移動に先立って前記ホームサーバから利用者の移動先に設けられた移動先サーバに転送するステップと
を含むことを特徴とするデータ転送方法。
【請求項７】
さらに、移動先において前記転送対象情報の変更を行う処理に応じて、変更前と変更後との転送先情報の差分を前記ホームサーバに戻すステップを含むことを特徴とする請求項６に記載のデータ転送方法。
【請求項８】
前記移動情報は、前記ホームサーバにおいて作成された予定表に基づいて生成されることを特徴とする請求項１から７までのいずれか１項に記載のデータ転送技術。
【請求項９】
前記移動情報は、移動に関する予約処理に応じて生成されることを特徴とする請求項１から７までのいずれか１項に記載のデータ転送技術。
【発明の詳細な説明】
【技術分野】
【０００１】
本発明は、データ転送システムに関し、特に、外出時に利用して便利な動画データなどのデータ転送システムに関する。
【背景技術】
【０００２】
近年、デジタル技術の飛躍的な発展に伴って、従来では難しかった動画データなどの大容量データに基づいて動画鑑賞などを行うことができるようになってきた。特に、いつでもどこでもという要望が強くなってきており、移動先でも動画鑑賞などの大容量データに基づく再生が望まれている。
【０００３】
例えば、列車の利用者が、列車内において、映画、音楽ビデオなどの画像コンテンツを視聴することができる技術が開示されている。この技術においては、乗車予定の列車内でコンテンツの視聴をコンテンツサービス業者に申し込むと、利用者はその列車でコンテンツを視聴できるようにコンテンツサービス業者が準備をする（例えば特許文献１参照）。
【０００４】
また、家屋内において固定されて用いられる情報機器と、自家用車に搭載されている情報機器との間で、ネットワークを介してデータを共有することができる技術も記載されている（例えば、特許文献２参照）。
【０００５】
【特許文献１】特開２００３−１５０６８１号公報
【特許文献２】特開平１０−２３０７３号公報
【発明の開示】
【発明が解決しようとする課題】
【０００６】
しかしながら、特許文献１に記載の技術では、予め決められているコンテンツのみを視聴することが可能であり、例えば利用者が録画又は録音したコンテンツを視聴したり自分で作成した文書などを参照することはできない。
【０００７】
また、特許文献２に記載の技術では、自己の所有する自動車という特定のものとはデータの共有ができるが、列車などの不特定なものとはデータを共有できない。また、リアルタイムの通信では、電波が届きにくいなどの理由によりデータ共有が難しいという問題がある。
【０００８】
本発明は、移動先において、データ容量や電波状況などの条件に依存せずにデータを転送し自分の視聴したい情報を視聴可能な技術を提供することを目的とする。
【課題を解決するための手段】
【０００９】
データ転送システムは、スケジュールに合わせて予約した交通機関や宿泊施設に自動的にホームサーバ内の所望のデータを移動に先立って転送する。変更前と変更後とのデータの差分情報は、ホームサーバに返されることにより、スムーズなデータ転送と返送とが可能となる。
【発明の効果】
【００１０】
本発明によるデータ転送システムにおいては、自分の希望するコンテンツデータを予定に基づいて予め移動先に設置されているサーバに転送しておくことにより、無線通信などの手段を用いてホームサーバからのデータをインターネット経由で取得する場合に比べて、視聴時におけるデータのスループットが高くなり、例えば大容量のストリーム動画鑑賞などの場合でもスムーズな映像を楽しむことができる。
【００１１】
ユーザは、予約や予定表作成などの処理を行うだけで、その後はスケジュールに合わせてデータ転送が自動的に行われるため、手間が省けるという利点もある。すなわち、移動先においても、あたかも自宅のホームサーバを操作しているような快適さでデータの編集処理やコンテンツの鑑賞を行うことができる。
【発明を実施するための最良の形態】
【００１２】
以下、本発明の第１の実施の形態によるデータ転送システムについて、図面を参照しつつ説明を行う。図１は、本実施の形態によるデータ転送システムのシステム構成例を示す図である。図２は、サーバの構成例を示す図である。図３は、利用者の予定と、それに関連するサーバ情報とを示す図である。図４は、利用者の移動に伴ってデータを転送する様子の例を示す状態遷移図である。
【００１３】
図１に示すように、本実施の形態によるデータ転送システムは、自宅（家）１０などの拠点と、移動手段（又は宿泊先）２０とを含む。移動手段２０は、例えば飛行機、電車（列車）などであり、ここでは出先の宿泊地（ホテル）などを含む。自宅１０には、ホームサーバ１２が設置されている。ホームサーバの構成例は図２に示す通り、一般的なパーソナルコンピュータ（以下「ＰＣ」と称する。）と同様である。移動手段（又は宿泊先）２０に設置されているサーバ２２も基本的な構成は図２に示す構成と同様である。移動手段２０に設けられたサーバは、移動手段であればその移動手段内に設けられ、宿泊先であれば各部屋毎に設けられている。
【００１４】
移動手段２０のサーバ２２は、列車であればその座席又は各コンパートメントに、ホテルであれば部屋毎に設けられた端末２４−１から２４−ｎと接続されている。ユーザのスケジュール登録は、例えば移動端末３０によって行うこともできる。
【００１５】
図２は、サーバ１２，２２又は携帯用ＰＣ３０の構成例を示す図である。図２に示すように、本実施の形態によるデータ転送システムに用いられるサーバは、制御部１５と、記憶部１６と、通信部１７と、入力部１８と、表示部１９とを有している。記憶部１６には、例えば動画データなどのコンテンツを記憶することができる。さらに、制御部１５は編集部１５ａを有しており、編集部１５ａは、後述する差分データと転送前のデータとに基づいて、編集後のデータを作成することができる。
【００１６】
通信部１７は、無線又はインターネット経由でコンテンツを転送するためのインターフェイス部を形成している。入力部１８は、例えばユーザの移動に関連する予定などを入力するためのキーボード又はマウスを含む。表示部は、例えば液晶モニタなどである。符号１９に破線で示すように、図示しないインターネットサーバなどの路線検索システムを利用して、入力部１８からの入力を補助させることができる。
【００１７】
図３は、本実施の形態によるデータ転送システム内の例えばホームサーバ１２又は携帯ＰＣ３０において入力されたデータに基づいて作成されたスケジュール表の例を示す図である。図３に示すスケジュール表４０は、日時欄４８と、時間情報欄４１と、場所情報欄４２と、移動手段情報欄４３と、予約状況表示欄４４と、サーバ設置状況表示欄４５と、滞在時間表示欄４６と、視聴希望コンテンツ番号欄４７を有している。
【００１８】
例えば、２００３年１０月１０日の７時００分には自宅におり、ここにはホームサーバ１２が設置されていることがわかる。同日の８時００分から８時３０分までの間は、自宅から最寄りのＡ駅へバスにより移動していることを示しており、バス内にはサーバは設置されていないことを示している。８時３０分にはＡ駅に到着予定であり、Ａ駅にはステーションサーバが設けられていることを示している。
【００１９】
８時３５分から１１時５５分までは、Ａ駅からＢ駅まで予約済みの列車により移動しており、列車内には列車サーバが設けられていることを示している。ここで、コンテンツ番号１のコンテンツの視聴が希望されている。１２時から１３時３０分までは、既に予約済みのＢ駅のレストランにおいて昼食をとっており、ここのはレストランサーバが設けられていることがわかる。レストランでは、コンテンツ番号２,３のコンテンツの視聴が希望されている。Ｂ駅から予約済みのホテルＢまではバスで移動し、ホテルＢには１５時００分に到着し、このホテルに滞在すること、ホテルにはホテルサーバが設けられていることがわかる。ホテルでは、ホームサーバ全てのコンテンツの視聴が希望されている。
【００２０】
図３に示す予定表に基づいて、ホームサーバ１２内の記憶部１６に記憶されている動画データをどのように転送するかを決定する。その際、滞在時間とサーバ設置状況とが参照される。或いは、以下に説明するように、携帯ＰＣ３０（図１）による予約操作に応じてデータ転送処理が行われるようにしても良い。
【００２１】
図４は、本実施の形態によるデータ転送の流れの例を示す遷移図である。図４に示すように、携帯ＰＣ３０（図１）により電車を予約する処理５１が行われると、図３に示すスケジュール予約表に列車の予約関係の情報５３が送られるとともに、電車サーバ２０ａに座席予約情報５５が送られる。このような情報を加味して、自宅１０内のホームサーバ１２に図３に示す予約表が作成されても良い。
【００２２】
図３に示す予定表に基づいて、或いは、図４に示す電車予約５１処理に基づいて、ホームサーバ１２から列車サーバ２０ａに対して、利用者が列車に乗る時刻６１よりも前に、予めコンテンツ番号１のコンテンツが転送される。利用者は列車２０内において列車サーバ２０ａに転送済みのコンテンツ又などのデータを利用して、コンテンツの視聴やデータの編集作業６３を行うことができる。列車を下車すると（６５）、列車サーバ２０ａからホームサーバ１２に対して、編集作業により変更された差分データが転送される（６７）。同様に、レストランには、コンテンツ番号２,３のコンテンツが転送されており、レストランにおいてコンテンツ番号２,３のコンテンツを視聴することができる。ホテルＢには、ホームサーバ全てのコンテンツが転送されており、これより以前に行われた列車やレストランでの編集作業により変更された差分データも反映されている。ホテルＢにおいて全てのコンテンツを視聴することができる。
【００２３】
以上に説明したように、本実施の形態によるデータ転送システムにおいては、自分の希望するコンテンツデータを予定に基づいて予め移動先に設置されているサーバに転送しておくことにより、無線通信などの手段を用いてホームサーバからのデータをインターネット経由で取得する場合に比べて、視聴時におけるデータのスループットが高くなり、例えば大容量のストリーム動画鑑賞などの場合でもスムーズな映像を楽しむことができる。また、通信状況の影響を受けにくいという利点もある。
【００２４】
ユーザは、予約や予定表作成などの処理を行うだけで、その後はスケジュールに合わせてデータ転送が自動的に行われるため、手間が省けるという利点もある。すなわち、移動先においても、あたかも自宅のホームサーバを操作しているような快適さでデータの編集処理やコンテンツの干渉を行うことができる。
【００２５】
尚、予約処理に基づいてデータ転送スケジュールが作成されても良いし、予約表を作成した後にデータ転送スケジュールが作成されても良い。
【産業上の利用可能性】
【００２６】
本発明は、データの大容量化に伴ってさらに利用価値が増すものである。
【図面の簡単な説明】
【００２７】
【図１】本発明の一実施の形態によるデータ転送システムの構成例を示す図である。
【図２】本発明の一実施の形態によるデータ転送システムにおけるホームサーバの構成例を示す図である。
【図３】データ転送に用いられる移動スケジュール表の一例である。
【図４】本発明の一実施の形態によるデータ転送システムにおける、ホームサーバと移動先サーバとの間のデータ遷移図である。
【符号の説明】
【００２８】
１…データ転送システム、１０…家、１２…ホームサーバ、２０…移動先、２２…移動先サーバ、２４…端末、３０…移動端末、１５ａ…データ編集部。
【図１】
2005148923.tif 000003
【図２】
2005148923.tif 000004
【図３】
2005148923.tif 000005
【図４】
2005148923.tif 000006